(57)【要約】【課題】操作性を高めることが可能な多機能機を提供すること。【解決手段】多機能機１０は、機械的に構成されるハードキー５２と、表示パネル５０（タッチパネル）上に表示されるタッチパネルボタン１００とを備える。ＣＰＵ１４は、ハードキー５２のハードキー音量の設定値を設定する。またＣＰＵ１４は、タッチパネルボタン１００のタッチパネルボタン音量の設定値を設定する。Ｓ３６〜Ｓ４０において、ＣＰＵ１４は、ハードキー音量の設定値およびタッチパネルボタン音量の設定値の比較結果に応じて、タッチパネルボタン音量の設定値を調整する。タッチパネルボタン音量の設定値がハードキー音量の設定値を上回るように調整することで、両ボタンにおいて入力操作の有無を確認可能とすることと、騒音を抑えることを両立することができる。【選択図】図６
2010141514.tif 000002
【特許請求の範囲】
【請求項１】
機械的に構成される第１入力ボタンと、タッチパネル上に表示される第２入力ボタンとを備える通信装置において、
前記第１入力ボタンのキータッチ音の第１音量値を設定する第１音量設定手段と、
前記第２入力ボタンのキータッチ音の第２音量値を設定する第２音量設定手段と、
前記第１音量値および前記第２音量値の比較結果に応じて前記第２音量値を調整する音量調整手段と
を備えることを特徴とする通信装置。
【請求項２】
前記第１音量値と前記第２音量値とを比較する音量比較手段と、
前記音量比較手段の比較結果に基づいて、前記第１音量設定手段によって前記第１音量値が前記第２音量値を上回る値に変更される場合を検出する第１検出手段とを備え、
前記音量調整手段は、前記第１検出手段の検出結果に応じて、前記第２音量値を変更後の前記第１音量値を上回る値に調整する
ことを特徴とする請求項１に記載の通信装置。
【請求項３】
前記第１音量値が前記第１音量設定手段によってゼロに設定される場合を検出する第２検出手段を備え、
前記音量調整手段は、前記第２検出手段の検出結果に応じて、前記第２音量値を最小値に調整する
ことを特徴とする請求項１または請求項２に記載の通信装置。
【請求項４】
前記第１音量設定手段における前記第２音量値の最小調整幅は、前記第２音量設定手段における前記第１音量の最小調整幅よりも小さく設定されている
ことを特徴とする請求項１ないし請求項３の何れかに記載の通信装置。
【発明の詳細な説明】
【技術分野】
【０００１】
本発明は、機械的に構成される入力ボタンとタッチパネル上に表示される入力ボタンとを備える通信装置に関する。
【背景技術】
【０００２】
特許文献１には、キータッチ音、エラー音、終了音、呼び出し音のそれぞれに対して音量を調整できるファクシミリ装置が開示されている。したがって、例えば、呼び出し音を小さくしたままキータッチ音のみを大きくすることができる。
【０００３】
【特許文献１】特開平7-58901
【発明の開示】
【発明が解決しようとする課題】
【０００４】
例えば、深夜などの騒音を抑える必要がある状況では、キータッチ音の音量をオフにして使用することが可能である。この場合、メカニカルなボタンでの入力操作に関しては、指で押し込む触感の情報がある。よって、メカニカルなボタンのキータッチ音をオフにしても、ユーザーは入力操作の有無を認識することができる。しかし、タッチパネルに表示されたボタンでの入力操作に関しては、指の触感による情報がメカニカルなボタンに比して乏しい。よって、タッチパネルのボタンのキータッチ音をオフにしてしまうと、ユーザーは入力操作の有無を認識しづらくなり、使い勝手が悪くなる。本明細書では、このような不便性を解消することができる技術を提供する。
【課題を解決するための手段】
【０００５】
本発明に係る通信装置は、機械的に構成される第１入力ボタンと、タッチパネル上に表示される第２入力ボタンとを備える。通信装置の一例としては、電話機、ＦＡＸ、コピー機やこれらの複合機が挙げられる。
【０００６】
本発明に係る通信装置は、第１音量設定手段と、第２音量設定手段と、音量調整手段とを備える。第１音量設定手段は、第１入力ボタンのキータッチ音の第１音量値を設定する。第２音量設定手段は、第２入力ボタンのキータッチ音の第２音量値を設定する。音量調整手段は、第１音量値および第２音量値の比較結果に応じて第２音量値を調整する。
【０００７】
これにより、第１入力ボタンのキータッチ音である第１音量と、第２入力ボタンのキータッチ音である第２音量とを、別々の値に設定することが可能となる。例えば、第１音量をゼロに設定し、第２音量をユーザーのみに聞こえる程度の音量に設定すれば、第１入力ボタンの入力操作の有無は機械的なボタンの触感により確認することができ、第２入力ボタンの入力操作の有無はキータッチ音により確認することが可能となる。よって、第１入力ボタンと第２入力ボタンとの両ボタンにおいて入力操作の有無を確認可能とすることと、騒音を抑えることを両立することが可能な通信装置を提供することができる。
【０００８】
また、通信装置は、第１音量値と第２音量値とを比較する音量比較手段を備えるとしてもよい。また、音量比較手段の比較結果に基づいて、第１音量設定手段によって第１音量値が第２音量値を上回る値に変更される場合を検出する第１検出手段をさらに備えるとしてもよい。そして、音量調整手段は、第１検出手段の検出結果に応じて、第２音量値を変更後の第１音量値を上回る値に調整するとしてもよい。
【０００９】
第２入力ボタンは触感により入力操作の有無を確認することが困難であるため、第２入力ボタンの第２音量値は、第１入力ボタンの第１音量値よりも大きくすることが好ましい。そして例えば、周囲環境の騒音が大きい場合などに第１入力ボタンのキータッチ音が聞こえやすくなるように第１音量値を大きくした場合において、第１音量値が第２音量値を上回る値に変更されたときは、音量調整手段によって、自動的に第２音量値が変更後の第１音量値を上回るように調整される。これにより、第２入力ボタンのキータッチ音が確実にユーザーに聞こえるように、第２音量値が自動的に調整されることになる。よって、第２入力ボタンの入力操作の有無の確認性を高めることができる結果、通信装置の操作性を高めることができる。
【００１０】
また、通信装置は、第１音量値が第１音量設定手段によってゼロに設定される場合を検出する第２検出手段を備えるとしてもよい。そして、音量調整手段は、第２検出手段の検出結果に応じて、第２音量値を最小値に調整するとしてもよい。
【００１１】
これにより、第１入力ボタンのキータッチ音の第１音量値をゼロにした場合には、音量調整手段によって、自動的に第２音量値が最小値となるように調整される。なお第２音量値の最小値は、周囲環境が静寂である場合において、ユーザーのみにキータッチ音が聞き取れる程度の値が好ましい。これにより、第１入力ボタンのキータッチ音をオフにした場合においても、ユーザーは第２入力ボタンのキータッチ音を聞き取ることが可能となるため、通信装置の操作性と静粛性とを両立することができる。
【００１２】
また、通信装置では、第１音量設定手段における第２音量値の最小調整幅は、第２音量設定手段における第１音量の最小調整幅よりも小さく設定されているとしてもよい。これにより、第２音量値をより細かく設定できるため、第２音量値を最適値（キータッチ音が周囲に漏れずにユーザーのみに聞き取れる程度の値）に設定することが可能となる。
【発明を実施するための最良の形態】
【００１３】
図面を参照して実施例を説明する。図１に、多機能機１０の外観図を示す。多機能機１０は、プリンタ機能、スキャナ機能、コピー機能、ファクシミリ機能、電話機能などを有する。図１に示すように、多機能機１０の上面正面側には、表示パネル５０およびハードキー５２が設けられている。表示パネル５０はタッチパネルであり、ユーザーがタッチした位置の座標を検出することができるパネルである。
【００１４】
図２に、表示パネル５０およびハードキー５２の例を示す。ハードキー５２は、機械的に構成されるキーである。機械的に構成されるキーとは、例えば、ベースと、ベース上に配置されるキートップと、キートップをベース上で昇降方向に案内支持するリンク部材と、キートップの昇降動作に応じて電気回路の接点を開閉するメンブレンスイッチシートと、を備えるキーである。なお、メンブレンスイッチシートに代えて、１つ１つのキー毎に独立した機械式スイッチが内蔵されているキーであってもよい。機械式スイッチは、スイッチ内部の金属接点が接触することによりオン状態になるスイッチである。また、ハードキー５２の例としては、テンキーなどが挙げられる。一方、タッチパネルボタン１００は、表示パネル５０に表示されるキーである。タッチパネルボタン１００の表示例としては、メニューボタン１０１、電話帳ボタン１０２、履歴ボタン１０３などが挙げられる。ハードキー５２およびタッチパネルボタン１００に入力操作が行われると、電子音によるキータッチ音が発せられる。ハードキー５２のキータッチ音の音量（ハードキー音量）、およびタッチパネルボタン１００のキータッチ音の音量（タッチパネルボタン音量）は、後述するように、各々設定することが可能とされる。
【００１５】
ハードキー５２での入力操作に関しては、指で押し込む触感の情報がある。よって、ハードキー５２のキータッチ音をオフにしても、ユーザーは入力操作の有無を認識することができる。一方、タッチパネルボタン１００での入力操作に関しては、指の触感による情報がハードキー５２に比して乏しい。よって、タッチパネルボタン１００のキータッチ音をオフにしてしまうと、ユーザーは入力操作の有無を認識しづらくなり、使い勝手が悪くなる。
【００１６】
図３に、多機能機１０の構成を示す。多機能機１０は、制御部１２、表示パネル５０、ハードキー５２、印刷部５４、スキャン部５６、ＦＡＸ部５８、ネットワークインターフェイス６０、ＰＳＴＮインターフェイス６２、等を有する。制御部１２は、ＣＰＵ１４、ＲＯＭ１６、ＲＡＭ３０、ＮＶＲＡＭ４０、等を有する。
【００１７】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。基本機能プログラム１８は、例えば、ハードキー５２やタッチパネルボタン１００のキータッチ音の音量を調整したり、表示パネル５０に表示される表示データを生成するために用いられる。
【００１８】
ＲＡＭ３０は、基本機能ワーク領域３２および表示情報記憶領域３６を備える。基本機能ワーク領域３２は、基本機能プログラム１８に従って処理が実行される過程で生成される各種データを記憶するための記憶領域である。表示情報記憶領域３６は、表示パネル５０に表示する表示情報を記憶するための記憶領域である。
【００１９】
ＮＶＲＡＭ４０は、基本機能パラメータ記憶領域４２を有する。基本機能パラメータ記憶領域４２は、ＣＰＵ１４が基本機能プログラム１８に従って処理を実行する際に利用される各種パラメータ（例：ハードキー音量の設定値、タッチパネルボタン音量の設定値、音量調整の「自動」「手動」設定、など）を記憶するための記憶領域である。
【００２０】
ネットワークインターフェイス６０は、ＬＡＮ回線に接続されている。多機能機１０は、外部に接続されたパーソナルコンピュータと通信可能であるとともに、インターネットにアクセス可能とされる。
【００２１】
図４ないし図７のフローチャートを用いて、本発明の音量調整処理を説明する。図４に、音量調整処理のメインフローを示す。メインフローは、Ｓ１ないしＳ３によって構成される。Ｓ１において、音量調整のメニューが選択されることで、音量調整処理が開始される。Ｓ２において、ハードキー音量の調整が行われる。Ｓ３において、タッチパネルボタン音量の調整が行われる。以下、Ｓ１ないしＳ３の各々について説明する。
【００２２】
Ｓ１において、ユーザーによってメニュー選択が行われることで、音量調整処理が開始される。本実施例では、図２の例に示すように、表示パネル５０にはメニューボタン１０１が表示されている。そして、ユーザーがメニューボタン１０１を用いて音量調整処理を選択（キー入力）する事に応じて、Ｓ２へ進む。
【００２３】
Ｓ２（図４）におけるハードキー音量の調整動作を、図５のフロー図と、図８ないし図１３の音量調整例を用いて詳説する。ここで図８（変更前）および図９（変更後）は、ハードキー音量の設定値を”＋１段階”上昇させたときに、ハードキー音量がタッチパネル音量を上回る場合の音量調整例である。また図１０（変更前）および図１１（変更後）は、ハードキー音量の設定値を”＋１段階”上昇させたときに、ハードキー音量がタッチパネル音量を上回らない場合の音量調整例である。また図１２（変更前）および図１３（変更後）は、ハードキー音量の設定値を「ＯＦＦ」に変更したときの音量調整例である。
【００２４】
Ｓ２１において、ＣＰＵ１４は、表示情報記憶領域３６に記憶されたデータに基づき、表示パネル５０に音量設定画面を表示させる。図８の例に示すように、音量設定画面では、ハードキー音量の設定値を”＋１段階”上昇させる上昇ボタン１１２と、設定値を”−１段階”下降させる下降ボタン１１１と、現在の設定値を表示するハードキー音量表示部１１０が表示される。また、タッチパネルボタン音量の設定値を”＋１段階”上昇させる上昇ボタン１２２と、設定値を”−１段階”下降させる下降ボタン１２１と、現在の設定値を表示するタッチパネルボタン音量表示部１２０が表示される。また、変更後の設定値を確定させるためのＯＫボタン１１３が表示される。
【００２５】
図８の例に示すように、ハードキー音量はＯＦＦ、設定２、設定４、設定６、設定８の５段階に設定可能とされ、最小調整幅は「２」である。また、タッチパネルボタン音量はＯＦＦ、設定１〜設定８の９段階に設定可能とされ、最小調整幅は「１」である。また、設定値が大きくなるほど、音量が大きくなる。このように、タッチパネル音量の最小調整幅は、ハードキー音量の最小調整幅よりも小さく設定されているため、タッチパネル音量をより細かく設定することができる。
【００２６】
Ｓ２２に進むと、ＣＰＵ１４は、表示パネル５０の画面にユーザーの指が触れられているか否かを判断する。触れられていない場合（Ｓ２２：ＮＯ）には、Ｓ２２へ戻り、ＣＰＵ１４はユーザーからの指示入力を待機する。一方、触れられている場合（Ｓ２２：ＹＥＳ）には、Ｓ２３へ進む。
【００２７】
Ｓ２３に進むと、ＣＰＵ１４は、上昇ボタン１１２にユーザーの指が触れられたか否かを判断する。上昇ボタン１１２に触れられた場合（Ｓ２３：ＹＥＳ）には、Ｓ２４へ進む。Ｓ２４へ進むと、ＣＰＵ１４は、現在のハードキー音量の設定値およびハードキー音量表示部１１０の表示値を”＋１段階”上昇させる。そしてＳ２７へ進む。
【００２８】
一方、上昇ボタン１１２に触れられていない場合（Ｓ２３：ＮＯ）には、Ｓ２５へ進む。Ｓ２５に進むと、ＣＰＵ１４は、下降ボタン１１１にユーザーの指が触れられたか否かを判断する。下降ボタン１１１に触れられた場合（Ｓ２５：ＹＥＳ）には、Ｓ２６へ進み、ＣＰＵ１４は、現在のハードキー音量の設定値およびハードキー音量表示部１１０の表示値を”−１段階”下降させる。そしてＳ２７へ進む。また、下降ボタン１１１に触れられていない場合（Ｓ２５：ＮＯ）には、Ｓ２３へ戻り、ＣＰＵ１４はユーザーからの指示入力を待機する。
【００２９】
Ｓ２７に進むと、ＣＰＵ１４は、ＯＫボタン１１３にユーザーの指が触れられたか否かを判断する。ＯＫボタン１１３に触れられていない場合（Ｓ２７：ＮＯ）には、Ｓ２３へ戻り、ＣＰＵ１４はユーザーからの指示入力を待機する。一方、ＯＫボタン１１３に触れられた場合（Ｓ２７：ＹＥＳ）には、Ｓ２８へ進む。すなわち、ユーザーによってＯＫボタン１１３が押されるまでは、Ｓ２３ないしＳ２６をループすることになる。よってユーザーは、ＯＫボタン１１３をタッチするまでは、上昇ボタン１１２および下降ボタン１１１を何回でもタッチすることができるため、ハードキー音量の微調整が可能となる。
【００３０】
Ｓ２８に進むと、ＣＰＵ１４は、ハードキー音量の設定を、現在表示している設定値に確定し、確定値をＮＶＲＡＭ４０の基本機能パラメータ記憶領域４２に保存する。
【００３１】
図８ないし図１１の例における、ハードキー音量の調整動作を説明する。図８および図１０の例では、Ｓ２３において上昇ボタン１１２にユーザーの指が触れられたと判断される。よってＳ２４に進み、ＣＰＵ１４は、現在のハードキー音量の設定を、「設定４」から「設定６」へ”＋１段階”上昇させる（図９矢印Ａ１１、図１１矢印Ａ２１）。またＣＰＵ１４は、ハードキー音量表示部１１０に表示されている設定値を、「４」から「６」へ”＋１段階”上昇させる。そしてＳ２７では、ＯＫボタン１１３にユーザーの指が触れられることに応じて、Ｓ２８へ進む。Ｓ２８では、ＣＰＵ１４は、ハードキー音量の設定値の「設定６」への変更を確定する。
【００３２】
また、図１２および図１３の例における、ハードキー音量の調整動作を説明する。図１２の例では、Ｓ２５において下降ボタン１１１にユーザーの指が触れられたと判断されるため、Ｓ２６に進み、ＣＰＵ１４は現在のハードキー音量の設定を”−１段階”下降させる。そしてユーザーが下降ボタン１１１を２回押下することに応じて、Ｓ２５およびＳ２６のループが２回繰り返される。よって、ＣＰＵ１４は、現在のハードキー音量の設定を、「設定４」から「ＯＦＦ」へ”−２段階”下降させる（図１３、矢印Ａ４１）。そしてＳ２７では、ＯＫボタン１１３にユーザーの指が触れられることに応じて、Ｓ２８へ進み、ＣＰＵ１４はハードキー音量の設定値の「ＯＦＦ」への変更を確定する。
【００３３】
Ｓ３（図４）におけるタッチパネルボタン音量の調整動作を、図６のフロー図と、図８ないし図１３の音量調整例を用いて詳説する。Ｓ３１において、ＣＰＵ１４は、表示情報記憶領域３６に記憶されたデータに基づき、表示パネル５０に音量設定画面を表示させる。
【００３４】
Ｓ３２に進むと、ＣＰＵ１４は、タッチパネルボタン音量の調整の設定が、「自動」モードに設定されているか否かを判断する。この判断は、ＮＶＲＡＭ４０の基本機能パラメータ記憶領域４２に保存されているタッチパネルボタン音量の調整の設定が、「自動」または「手動」の何れであるかを、ＣＰＵ１４が読み出すことで行われる。設定が「自動」ではない場合（Ｓ３２：ＮＯ）には、「手動」設定であるため、Ｓ５１へ進む。なお、Ｓ５１以降の動作については、図７を用いて後述する。一方、設定が「自動」である場合（Ｓ３２：ＹＥＳ）には、Ｓ３３へ進む。
【００３５】
Ｓ３３において、ＣＰＵ１４は、タッチパネルボタン音量の設定値と、変更後のハードキー音量の設定値とを、基本機能パラメータ記憶領域４２から取得する。
【００３６】
Ｓ３４に進むと、ＣＰＵ１４は、変更後のハードキー音量の設定値が「ＯＦＦ」に設定されたか否かを判断する。「ＯＦＦ」に設定されていない場合（Ｓ３４：ＮＯ）には、Ｓ３６へ進む。Ｓ３６では、ＣＰＵ１４は、タッチパネルボタン音量の設定値と、変更後のハードキー音量の設定値とを比較する。
【００３７】
Ｓ３７に進むと、ＣＰＵ１４は、タッチパネルボタン音量の設定値と、変更後のハードキー音量の設定値とが同じ値であるか否かを判断する。同じ値である場合（Ｓ３７：ＹＥＳ）には、Ｓ４０へ進む。一方、同じ値でない場合（Ｓ３７：ＮＯ）には、Ｓ３８へ進む。
【００３８】
Ｓ３８に進むと、ＣＰＵ１４は、タッチパネルボタン音量の設定値の方が、変更後のハードキー音量の設定値よりも小さいか否かを判断する。タッチパネルボタン音量の設定値の方が小さい場合（Ｓ３８：ＹＥＳ）には、Ｓ４０へ進む。Ｓ４０では、ＣＰＵ１４は、タッチパネルボタン音量の設定値を、変更後のハードキー音量の設定値よりも大きな値に変更する。そして変更後のタッチパネルボタン音量の設定値を、ＮＶＲＡＭ４０の基本機能パラメータ記憶領域４２に保存する。その後、タッチパネルボタン音量の調整動作が終了される。
【００３９】
一方、Ｓ３８において、タッチパネルボタン音量の設定値の方が、ハードキー音量の設定値よりも小さくない場合（Ｓ３８：ＮＯ）には、Ｓ３９へ進む。Ｓ３９に進むと、ＣＰＵ１４は、タッチパネルボタン音量の設定を、現在の設定値で維持する。その後、タッチパネルボタン音量の調整動作が終了される。
【００４０】
一方、Ｓ３４において、変更後のハードキー音量の設定値が「ＯＦＦ」に設定されているとＣＰＵ１４が判断した場合（Ｓ３４：ＹＥＳ）には、Ｓ３５へ進む。Ｓ３５では、ＣＰＵ１４は、タッチパネルボタン音量の設定値を、最小値である「設定１」に変更し、基本機能パラメータ記憶領域４２に保存する。その後、タッチパネルボタン音量の調整動作が終了される。なお、「設定１」の音量は、周囲環境が静寂である場合において、ユーザーのみにキータッチ音が聞き取れる程度の値が好ましい。
【００４１】
図８および図９の例における、タッチパネルボタン音量の調整動作を説明する。図８および図９の例では、Ｓ３３において、ＣＰＵ１４は、タッチパネルボタン音量の設定値（「設定５」）と、変更後のハードキー音量の設定値（「設定６」）とを取得する。そしてＳ３８において、ＣＰＵ１４は、タッチパネルボタン音量の設定値（「設定５」）の方が、変更後のハードキー音量の設定値（「設定６」）よりも小さいと判断する。よってＳ４０へ進み、ＣＰＵ１４は、タッチパネルボタン音量の設定値を、ハードキー音量の設定値よりも大きな値（「設定７」）に変更する（図９、矢印Ａ１２）。
【００４２】
また、図１０および図１１の例における、タッチパネルボタン音量の調整動作を説明する。図１０および図１１の例では、Ｓ３３において、ＣＰＵ１４は、タッチパネルボタン音量の設定値（「設定８」）と、変更後のハードキー音量の設定値（「設定４」）とを取得する。そしてＳ３８において、ＣＰＵ１４は、タッチパネルボタン音量の設定値（「設定８」）の方が、変更後のハードキー音量の設定値（「設定６」）よりも小さくないと判断する。よってＳ３９へ進み、ＣＰＵ１４は、タッチパネルボタン音量の設定値を、現在の設定値（「設定８」）で維持する（図１１）。
【００４３】
また、図１２および図１３の例における、タッチパネルボタン音量の調整動作を説明する。図１２および図１３の例では、Ｓ３３において、ＣＰＵ１４は、タッチパネルボタン音量の設定値（「設定５」）と、変更後のハードキー音量の設定値（「ＯＦＦ」）とを取得する。そしてＳ３４において、ＣＰＵ１４は、変更後のハードキー音量の設定値が「ＯＦＦ」に設定されたと判断する。よってＳ３５へ進み、ＣＰＵ１４は、タッチパネルボタン音量の設定値を、最小値である「設定１」に変更する（図１３、矢印Ａ４２）。
【００４４】
また、図７のＳ５１ないしＳ５７を用いて、タッチパネルボタン音量の調整の設定が「手動」モードに設定されている場合における、タッチパネルボタン音量の調整動作を説明する。Ｓ３２（図６）において、ＣＰＵ１４が、タッチパネルボタン音量の調整の設定が「自動」モードに設定されていない（Ｓ３２：ＮＯ）と判断した場合には、Ｓ５１へ進む。
【００４５】
Ｓ５１に進むと、ＣＰＵ１４は、表示パネル５０の画面にユーザーの指が触れられているか否かを判断する。触れられていない場合（Ｓ５１：ＮＯ）には、Ｓ５１へ戻り、ＣＰＵ１４はユーザーからの指示入力を待機する。一方、触れられている場合（Ｓ５１：ＹＥＳ）には、Ｓ５２へ進む。
【００４６】
Ｓ５２において、ユーザーの指が上昇ボタン１２２（図８参照）に触れられたとＣＰＵ１４が判断した場合（Ｓ５２：ＹＥＳ）には、Ｓ５３へ進み、現在のタッチパネルボタン音量の設定およびタッチパネルボタン音量表示部１２０の表示値を”＋１段階”上昇させる。そしてＳ５６へ進む。
【００４７】
一方、上昇ボタン１２２に触れられていない場合（Ｓ５２：ＮＯ）には、Ｓ５４へ進む。Ｓ５４において、下降ボタン１２１にユーザーの指が触れられたとＣＰＵ１４が判断した場合（Ｓ５４：ＹＥＳ）には、Ｓ５５へ進み、現在のタッチパネルボタン音量の設定およびタッチパネルボタン音量表示部１２０の表示値を”−１段階”下降させる。そしてＳ５６へ進む。また、下降ボタン１２１に触れられていない場合（Ｓ５４：ＮＯ）には、Ｓ５２へ戻り、ＣＰＵ１４はユーザーからの指示入力を待機する。
【００４８】
Ｓ５６において、ＯＫボタン１１３にユーザーの指が触れられていないとＣＰＵ１４が判断した場合（Ｓ５６：ＮＯ）には、Ｓ５２へ戻り、ＣＰＵ１４はユーザーからの指示入力を待機する。一方、ＯＫボタン１１３に触れられたと判断した場合（Ｓ５６：ＹＥＳ）には、Ｓ５７へ進む。Ｓ５７において、ＣＰＵ１４は、タッチパネルボタン音量の設定を、変更後の設定値に確定し、確定値を基本機能パラメータ記憶領域４２に保存する。
【００４９】
以上、Ｓ５１ないしＳ５７の動作で説明したように、タッチパネルボタン音量の調整の設定が「手動」モードのときは、ハードキー音量の設定値とタッチパネルボタン音量の設定値とを、別々の値に設定することが可能となる。
【００５０】
本実施形態に係る発明の効果を以下に説明する。本実施形態に係る多機能機１０では、例えば周囲環境の騒音が大きい場合などに、ハードキー５２のキータッチ音が聞こえやすくなるようにハードキー音量の設定値を大きくした場合において、ハードキー音量の設定値がタッチパネルボタン音量の設定値以上の値に変更されたときは、自動的にタッチパネルボタン音量の設定値が変更後のハードキー音量の設定値を上回るように調整される。
【００５１】
これにより、タッチパネルボタン１００のキータッチ音が確実にユーザーに聞こえるように、タッチパネルボタン音量の設定値が自動的に調整されることになる。そして、タッチパネルボタン１００は触感により入力操作の有無を確認することが困難であるが、タッチパネルボタン１００の音量の設定値がハードキー５２の音量の設定値よりも大きくされることにより、タッチパネルボタン１００の入力操作の有無の確認性を高めることが可能となる。よって、多機能機１０の操作性を高めることができる。
【００５２】
また、本実施形態に係る多機能機１０は、ハードキー音量の設定値がＯＦＦに設定される場合を検出することに応じて、タッチパネルボタン音量の設定値を最小値である「設定１」に調整する。よって、ハードキー音量の設定値をＯＦＦにした場合には、自動的にタッチパネルボタン音量の設定値が最小値となるように調整される。これにより、ハードキー５２のキータッチ音をＯＦＦにした場合においても、ユーザーはタッチパネルボタン１００のキータッチ音を聞き取ることが可能となるため、多機能機１０の操作性と静粛性とを両立することができる。
【００５３】
また、本実施形態に係る多機能機１０では、タッチパネルボタン音量の設定値の最小調整幅「１」は、ハードキー音量の最小調整幅「２」よりも小さく設定される。これにより、タッチパネルボタン音量の設定値をより細かく設定できるため、タッチパネルボタン音量を、キータッチ音が周囲に漏れずにユーザーのみに聞き取れる程度の最適値に設定することが可能となる。
【００５４】
また、本実施形態に係る多機能機１０では、タッチパネルボタン音量の調整の設定を「手動」モードとすることができる。これにより、ハードキー音量の設定値とタッチパネルボタン音量の設定値とを、手動動作により、任意の異なる値に設定することが可能となる。例えば、ハードキー音量をＯＦＦに設定し、タッチパネル音量をユーザーのみに聞こえる程度の音量に設定すれば、ハードキー５２の入力操作の有無は機械的なボタンの触感により確認することができ、タッチパネルボタン１００の入力操作の有無はキータッチ音により確認することが可能となる。よって、ハードキー５２とタッチパネルボタン１００との両ボタンにおいて入力操作の有無を確認可能とすることと、騒音を抑えることを両立することが可能となる。
【００５５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００５６】
本実施形態では、ハードキー音量が変更されたことに応じて、タッチパネル音量を自動的に調整するとしたが、これに限られない。タッチパネル音量が変更されたことに応じて、ハードキー音量を自動的に調整する構成を備えてもよいことは言うまでもない。図８の例において、タッチパネルボタン音量の下降ボタン１２１にユーザーの指が２回触れられると、ＣＰＵ１４は、現在のタッチパネルボタン音量の設定値およびタッチパネルボタン音量表示部１２０の表示値を、「設定５」から「設定３」へ”−２段階”下降させる（図１４、矢印Ａ３１）。そして、ＯＫボタン１１３にユーザーの指が触れられることに応じて、ＣＰＵ１４は、タッチパネルボタン音量の設定値の「設定３」への変更を確定する。そしてＣＰＵ１４は、変更後のタッチパネルボタン音量の設定値（「設定３」）の方が、ハードキー音量の設定値（「設定４」）よりも小さいと判断する。よってＣＰＵ１４は、ハードキー音量の設定値を、タッチパネルボタン音量の設定値よりも小さな値（「設定２」）に変更する（図１４、矢印Ａ３２）。
【００５７】
これにより、タッチパネルボタン音量の設定値がハードキー音量の設定値を下回る値に変更されたときは、自動的にハードキー音量の設定値が変更後のタッチパネルボタン音量の設定値を下回るように調整される。よって、タッチパネルボタン１００の操作性を確保しながら、多機能機１０の静粛性をさらに高めることが可能となる。
【００５８】
また本実施形態では、Ｓ３７において、タッチパネルボタン音量の設定値と、変更後のハードキー音量の設定値とが同じ値である場合には、タッチパネルボタン音量の設定値を変更後のハードキー音量の設定値よりも大きな値に変更するとしたが、この形態に限られない。タッチパネルボタン音量の設定値と、変更後のハードキー音量の設定値とが同じ値の場合には、現在のタッチパネルボタン音量の設定値を維持するとしてもよいことは言うまでもない。
【００５９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００６０】
なお、多機能機１０は通信装置の一例、ハードキー５２は第１入力ボタンの一例、タッチパネルボタン１００は第２入力ボタンの一例、ハードキー音量の設定値は第１音量値の一例、タッチパネルボタン音量の設定値は第２音量値の一例、である。
【図面の簡単な説明】
【００６１】
【図１】多機能機１０の外観図である。
【図２】表示パネル５０およびハードキー５２の例を示す図である。
【図３】多機能機１０の構成を示す図である。
【図４】音量調整処理のメインフローを示す図である。
【図５】ハードキー音量の調整動作を示すフロー図である。
【図６】タッチパネルボタン音量の調整動作を示すフロー図である。
【図７】「手動」モードにおけるタッチパネルボタン音量の調整動作を示すフロー図である。
【図８】音量調整例（その１）の音量変更前の状態を示す図である。
【図９】音量調整例（その１）の音量変更後の状態を示す図である。
【図１０】音量調整例（その２）の音量変更前の状態を示す図である。
【図１１】音量調整例（その２）の音量変更後の状態を示す図である。
【図１２】音量調整例（その３）の音量変更前の状態を示す図である。
【図１３】音量調整例（その３）の音量変更後の状態を示す図である。
【図１４】音量調整例（その４）の音量変更後の状態を示す図である。
【符号の説明】
【００６２】
１０  多機能機
５０  表示パネル
５２  ハードキー
１００  タッチパネルボタン
１１１、１２１  下降ボタン
１１２、１２２  上昇ボタン
１１３  ＯＫボタン
１１０  ハードキー音量表示部
１２０  タッチパネルボタン音量表示部
【図１】
2010141514.tif 000003
【図２】
2010141514.tif 000004
【図３】
2010141514.tif 000005
【図４】
2010141514.tif 000006
【図５】
2010141514.tif 000007
【図６】
2010141514.tif 000008
【図７】
2010141514.tif 000009
【図８】
2010141514.tif 000010
【図９】
2010141514.tif 000011
【図１０】
2010141514.tif 000012
【図１１】
2010141514.tif 000013
【図１２】
2010141514.tif 000014
【図１３】
2010141514.tif 000015
【図１４】
2010141514.tif 000016